(57)【特許請求の範囲】
【請求項１】
挿入部先端部に固体撮像素子を設け、対物光学系で得られた光学像を前記固体撮像素子から信号処理部に多数本のリード線を介して電気信号として送る内視鏡の固体撮像素子のリード線結束構造において、
内視鏡挿入部は、内視鏡手元操作部から軟性部、湾曲部及び前記挿入部先端部によって構成され、前記湾曲部の湾曲時に湾曲される前記軟性部の先端側から湾曲部内に位置する部分の前記多数本のリード線がシリコン樹脂で結束されていることを特徴とする内視鏡の固体撮像素子のリード線結束構造。
【発明の詳細な説明】
【０００１】
【発明の属する技術分野】
本発明は内視鏡の固体撮像素子のリード線結束構造に係り、特に内視鏡の挿入部先端部に設けた固体撮像素子から信号処理部に光学像としての電気信号を送るリード線の結束構造に関するものである。
【０００２】
【従来の技術】
光学繊維束をイメージガイドとした内視鏡の他に、微小受光体をマトリクス配列したものでＣＣＤで代表される電荷転送素子を組み合わせた面板状の固体撮像素子を利用するＴＶ内視鏡が使用されている。
前記固体撮像素子は、内視鏡の挿入部先端部に設けられており、対物光学系で得られた光学像を固体撮像素子から信号処理部に多数本のリード線を介して電気信号として送る。
【０００３】
ところで、前記多数本のリード線は、塩化ビニル又はポリフルオールエチレン製のチューブで被覆されて結束されているが、湾曲部内に位置するリード線は、湾曲部の湾曲性を向上させるために結束されておらず、ばらされた状態となっている。
【０００４】
【発明が解決しようとする課題】
しかしながら、従来のリード線結束構造では、湾曲部内に位置するリード線が結束されていないので、湾曲部の湾曲時に湾曲部を構成するアングルリングのエッジ間でリード線が挟まれてリード線が断線するという欠点がある。
このような不具合を防止するために実公平７−１６１２号公報では、湾曲部内に位置する多数本のリード線を可撓性チューブで緩く被覆して対策しているが、湾曲部の湾曲時に前記チューブが折れてしまうので、リード線が断線したり、この部分に位置するライトガイドケーブルがチューブに押されて前記アングルリングのエッジで断線したりするという欠点がある。
【０００５】
本発明はこのような事情に鑑みてなされたもので、リード線の断線を防止することができる内視鏡の固体撮像素子のリード線結束構造を提供することを目的とする。
【０００６】
【課題を解決するための手段】
本発明は前記目的を達成するために、挿入部先端部に固体撮像素子を設け、対物光学系で得られた光学像を前記固体撮像素子から信号処理部に多数本のリード線を介して電気信号として送る内視鏡の固体撮像素子のリード線結束構造において、内視鏡挿入部は、内視鏡手元操作部から軟性部、湾曲部及び前記挿入部先端部によって構成され、前記湾曲部の湾曲時に湾曲される前記軟性部の先端側から湾曲部内に位置する部分の前記多数本のリード線がシリコン樹脂で結束されていることを特徴としている。
【０００７】
本発明によれば、多数本のリード線をシリコン樹脂で接着して結束するようにした。これにより、前記多数本のリード線は結束された状態でも、チューブで被覆したものと比較して柔軟性と弾性が向上するので、特に、湾曲部内に位置するリード線を前記シリコン樹脂で結束することによりアングルリングのエッジによるリード線の断線を防止することができる。
【０００８】
【発明の実施の形態】
以下、添付図面に従って本発明に係る内視鏡の固体撮像素子のリード線結束構造の好ましい実施の形態を詳説する。
図１は、本発明に係る内視鏡の固体撮像素子のリード線結束構造を適用した直視型内視鏡の挿入部の側断面図である。同図に示すように内視鏡挿入部の先端部１０は先端硬質部１２、湾曲部１４、及び軟性部１６から構成される。先端硬質部１２は、先端金具１８から構成されて湾曲不能である。この先端金具１８は硬質部１２の主体部分をなす金属製の筒状金具１８Ａと、その先端に嵌着されたプラスチック製の絶縁カバー１８Ｂとから構成される。湾曲部１４は互いに連結された複数のアングルリング２０、２０…等で形成され、アングル操作ワイヤ２２、２２…の牽引操作により上下左右に湾曲自在である。軟性部１６は、図示しない金属製の螺管がネットを介して合成樹脂製被覆層２４に被覆されて挿入方向に可撓自在であり、その基端部が図示しない内視鏡手元操作部に接続される。
【０００９】
一方、前記挿入部１０内には対物光学系２６の他に、ライトガイド２８、鉗子チャンネル３０、及び図示しない送気送水チャンネル等が挿入部１０に沿って挿通されている。前記対物光学系２６は、鏡筒２７内に配置された複数枚のレンズで構成される。対物光学系２６の後方には、直角プリズム３２が設けられ、対物光学系２６の光路を９０゜下方に変換し、その光射出面には矩形状で且つ面板状の固体撮像素子３４が接合されている。
【００１０】
前記固体撮像素子３４の基板３６には、多数本のリード線３８、３８…の先端部が接続される。これらのリード線３８、３８は挿入部１０に沿って挿通され、その基端部が内視鏡外部に配置されたプロセッサ（信号処理部）４０に接続されている。前記リード線３８、３８…は、プロセッサ４０の駆動回路から固体撮像素子３４に駆動信号を送ると共に、対物光学系で得られた光学像を示す電気信号を固体撮像素子３４からプロセッサ４０に送る。プロセッサ４０に前記電気信号が出力されると、プロセッサ４０は前記電気信号を画像処理して映像信号に変換し、この映像信号をＴＶモニタ４２に出力する。
【００１１】
ところで、前記多数本のリード線３８、３８…は極細な導線から構成され、個々の導線が結束されずそのままの状態の非結束部４４と、この非結束部４４に続くシリコン樹脂で接着されて結束された結束部４６と、チューブ等で被覆された結束部４８とから構成される。前記リード線３８、３８…の非結束部４４は、固体撮像素子３４の基板３６に接続され、固体撮像素子３４と接続されている。また、前記結束部４８は、軟性部１６から図示しない手元操作部に至るリード線３８、３８…を塩化ビニル又はポリフルオールエチレン製のチューブで被覆して結束している。
【００１２】
前記シリコン樹脂で接着されて結束された結束部４６は、軟性部１６の先端側から湾曲部１４内に位置するリード線３８、３８…を結束している。前記シリコン樹脂はケイ素樹脂であり、有機基とケイ素のモル比（Ｒ／Ｓｉ）の大きい柔軟な弾性に富む樹脂が使用されている。シリコン樹脂は接着剤として作用し、その結束方法は、シリコン樹脂が溜められた容器内にリード線３８、３８…を所定時間浸して引き抜くことにより行われる。この時、リード線３８、３８の非結束部４４とチューブが被覆される結束部４８とをシリコン樹脂が付着しないようにマスキングしておく。これにより、結束部４６にあたる個々のリード線３８、３８…は、リード線３８、３８…間に残存したシリコン樹脂で接着されて結果として結束される。
【００１３】
このように本発明では、湾曲部１４の湾曲時に湾曲される軟性部１６の先端側から湾曲部１４内に位置する部分のリード線３８、３８…を、柔軟で弾性の富むシリコン樹脂で接着して結束するようにした。従って、前記部分のリード線３８、３８を結束しても、リード線３８、３８…は柔軟で弾性の富むシリコン樹脂で結束されているので湾曲部１４の湾曲性は損なわれず、また、アングルリングのエッジによる断線も防止することができる。
【００１４】
本発明では、軟性部１６の先端側から湾曲部１４内に位置するリード線３８、３８…をシリコン樹脂で結束したが、これに限られるものではなく、手元操作部から湾曲部１４内に至る挿入部１０内のリード線３８、３８…の略全長をシリコン樹脂で結束しても良いが、湾曲部１４内に位置する部分を柔軟で弾性に富むようにした上で、軟性部１６は組立時に軟性部１６内を挿通する際に不都合とならない程度に硬くしておくことが望ましい。
【００１５】
【発明の効果】
以上説明したように本発明に係る内視鏡の固体撮像素子のリード線結束構造によれば、挿入部の湾曲部内に位置する多数本のリード線をシリコン樹脂で接着して結束したので、湾曲部のアングルリングのエッジによるリード線の断線を防止することができる。
【図面の簡単な説明】
【図１】本発明に係る内視鏡の固体撮像素子のリード線結束構造を適用した直視型内視鏡の挿入部を示す要部側断面図
【符号の説明】
１０…内視鏡挿入部
１２…先端硬質部
１４…湾曲部
１６…軟性部
２６…対物光学系
３４…固体撮像素子
３８…リード線
４６…シリコン樹脂による結束部
【図１】
0003637648.tif 000002